(57)【特許請求の範囲】
【請求項１】
入金された紙幣を読み取ってその真偽を判定し、真と判定した紙幣を収納し、偽と判定した紙幣を返却する紙幣入出金装置において、
前記入金された紙幣を真偽判定のために送出すると共に、前記偽と判定された紙幣を返却する入出金手段と、
処理途中の前記紙幣を一時的に収納する保留手段と、
前記真と判定された紙幣を収納する第１の収納手段と、
リジェクトすべき紙幣を収納する第２の収納手段と、
前記紙幣を光学的に読み取ってその真偽を判定する読取判定手段と、
前記入出金手段から送出された紙幣を前記読取判定手段まで搬送する第１の搬送手段と、
前記第１の搬送手段で前記読取判定手段まで搬送された紙幣が該読取判定手段で真と判定されたときは該紙幣を前記保留手段まで搬送し、偽と判定されたときには該紙幣の表裏が反転するように搬送して該読取判定手段に戻す第２の搬送手段と、
前記第２の搬送手段で前記読取判定手段まで搬送された紙幣が該読取判定手段で真と判定されたときは該紙幣を前記保留手段まで搬送し、偽と判定されたときには該紙幣を前記入出金手段に戻す第３の搬送手段と、
前記保留手段に収納された紙幣を前記読取判定手段まで逆方向に搬送する第４の搬送手段と、
前記第４の搬送手段で前記読取判定手段まで搬送された紙幣が該読取判定手段で真と判定されたときは該紙幣を前記第１の収納手段まで搬送し、偽と判定されたときには該紙幣を前記第２の収納手段まで搬送する第５の搬送手段とを、
備えたことを特徴とする紙幣入出金装置。
【請求項２】
入金された紙幣を読み取ってその真偽を判定し、真と判定した紙幣を収納し、偽と判定した紙幣を返却する紙幣入出金装置において、
前記入金された紙幣を真偽判定のために送出すると共に、前記偽と判定された紙幣を返却する入出金手段と、
処理途中の前記紙幣を一時的に収納する保留手段と、
前記真と判定された紙幣を収納する第１の収納手段と、
リジェクトすべき紙幣を収納する第２の収納手段と、
前記紙幣を搬送させながら光学的に読み取ってその真偽を判定する読取判定手段と、
前記入出金手段から送出された紙幣を搬送させて前記読取判定手段で読み取らせる第１の搬送手段と、
前記第１の搬送手段で搬送された紙幣が前記読取判定手段で真と判定されたときは該紙幣を前記保留手段に搬送し、偽と判定されたときには該紙幣を再判定のために逆方向に搬送させて該読取判定手段で読み取らせる第２の搬送手段と、
前記再判定によって前記紙幣が真と判定されたときは該紙幣を前記保留手段まで搬送し、偽と判定されたときには該紙幣を前記入出金手段に戻す第３の搬送手段と、
前記保留手段に収納された紙幣を逆方向に搬送して前記読取判定手段で読み取らせる第４の搬送手段と、
前記第４の搬送手段で搬送されて前記読取判定手段で読み取られた紙幣が該読取判定手段で真と判定されたときは該紙幣を前記第１の収納手段まで搬送し、偽と判定されたときには該紙幣を前記第２の収納手段まで搬送する第５の搬送手段とを、
備えたことを特徴とする紙幣入出金装置。
【発明の詳細な説明】
【０００１】
【発明の属する技術分野】
本発明は、入金された紙幣の真偽判定を行い、真と判定された紙幣のみを収納する紙幣入出金装置に関するものである。
【０００２】
【従来の技術】
図２は、従来の紙幣入出金装置の構成図である。
この紙幣入出金装置は、例えば金融機関における自動預金預け払い機等に用いられるもので、前面の操作部に紙幣の出し入れを行うための入出金口１を有している。入出金口１の内側には、複数枚の紙幣を重ねて出し入れ可能な入出金部２が設けられている。入出金部２には、重ねられた紙幣を１枚ずつ分離するための分離部３が接続されており、この分離部３の後部に紙幣を所定の経路に沿って搬送する搬送部４が接続されている。搬送部４は、分岐によって経路の切り替えができるようになっており、この搬送部４の複数の終端が、それぞれ保留部５、収納カセット６、及びリジェクトボックス７に接続されている。
【０００３】
分離部３から保留部５に至る搬送部４の経路上に、紙幣を光学的に読み取る読取部８が設けられている。読取部８には、読み取った紙幣のイメージに基づいてその紙幣の真偽を判定する判定部９が接続されている。更に、判定部９の出力側には、判定結果に基づいて紙幣の搬送経路を切り替えるための搬送制御部１０が接続されている。
このような紙幣入出金装置において、入出金部２に複数枚の紙幣を重ねて入金すると、紙幣は分離部３によって分離されて１枚ずつ搬送部４に送り出される。搬送部４に送り出された紙幣は、読取部８でそのイメージが読み取られ、判定部９で真偽判定が行われる。判定結果は搬送制御部１０に与えられ、この判定結果が真であれば、読み取られた紙幣は搬送部４によって保留部５へ搬送される。その後、入出金部２に残っている紙幣の読み取りが引き続き行われる。
【０００４】
もしも判定結果が偽であれば、読み取られた紙幣は保留部５へ搬送されず、搬送部４によって読取部８及び分離部３を経由して入出金部２へ戻される。これにより入金処理は中断され、返却された紙幣の確認を促すメッセージが図示しない表示部に表示される。
入金された紙幣の入金処理が終了すると、その入金された合計金額等が表示部に表示され、入金者による確認操作が行われる。これにより、保留部５に保管されていた紙幣は、搬送部４によって逆方向に読取部８に搬送されて読み取られ、判定部９で真偽判定が行われる。ここで真と判定された紙幣は、搬送部４によって収納カセット６に搬送される。一方、偽と判定された紙幣は、搬送部４によってリジェクトボックス７に搬送される。
【０００５】
【発明が解決しようとする課題】
しかしながら、従来の紙幣入出金装置では、次のような課題があった。
例えば読取部８が紙幣から反射された光によってイメージを読み取る方式の場合、読み取った面に汚れ等があれば偽と判定されてしまう。また紙幣を透過した光によってイメージを読み取る方式の場合、光の透過方向によって汚れ等の影響が相違する場合がある。いずれの方式においても、真偽判定は１回の読み取りで行うようになっているので、汚れや読み取り搬送のスキュー等によって偽と判定されて返却される率が高く、再入金等の煩わしさがあった。
本発明は、前記従来技術が持っていた課題を解決し、返却率の低い紙幣入出金装置を提供するものである。
【０００６】
【課題を解決するための手段】
前記課題を解決するために、本発明の内の第１の発明は、入金された紙幣を読み取ってその真偽を判定し、真と判定した紙幣を収納し、偽と判定した紙幣を返却する紙幣入出金装置において、前記入金された紙幣を真偽判定のために送出すると共に、前記偽と判定された紙幣を返却する入出金手段と、処理途中の前記紙幣を一時的に収納する保留手段と、前記真と判定された紙幣を収納する第１の収納手段と、リジェクトすべき紙幣を収納する第２の収納手段と、前記紙幣を光学的に読み取ってその真偽を判定する読取判定手段と、前記入出金手段から送出された紙幣を前記読取判定手段まで搬送する第１の搬送手段と、前記第１の搬送手段で前記読取判定手段まで搬送された紙幣が該読取判定手段で真と判定されたときは該紙幣を前記保留手段まで搬送し、偽と判定されたときには該紙幣の表裏が反転するように搬送して該読取判定手段に戻す第２の搬送手段と、前記第２の搬送手段で前記読取判定手段まで搬送された紙幣が該読取判定手段で真と判定されたときは該紙幣を前記保留手段まで搬送し、偽と判定されたときには該紙幣を前記入出金手段に戻す第３の搬送手段と、前記保留手段に収納された紙幣を前記読取判定手段まで搬送する第４の搬送手段と、前記第４の搬送手段で前記読取判定手段まで搬送された紙幣が該読取判定手段で真と判定されたときは該紙幣を前記第１の収納手段まで搬送し、偽と判定されたときには該紙幣を前記第２の収納手段まで搬送する第５の搬送手段とを備えている。
【０００８】
第２の発明は、紙幣入出金装置において、第１の発明と同様の入出金収納手段と、保留手段と、第１及び第２の収納手段と、前記紙幣を搬送させながら光学的に読み取ってその真偽を判定する読取判定手段と、前記入出金手段から送出された紙幣を搬送させて前記読取判定手段で読み取らせる第１の搬送手段と、前記第１の搬送手段で搬送された紙幣が前記読取判定手段で真と判定されたときは該紙幣を前記保留手段に搬送し、偽と判定されたときには該紙幣を再判定のために逆方向に搬送させて該読取判定手段で読み取らせる第２の搬送手段と、前記再判定によって前記紙幣が真と判定されたときは該紙幣を前記保留手段まで搬送し、偽と判定されたときには該紙幣を前記入出金手段に戻す第３の搬送手段と、前記保留手段に収納された紙幣を逆方向に搬送して前記読取判定手段で読み取らせる第４の搬送手段と、前記第４の搬送手段で搬送されて前記読取判定手段で読み取られた紙幣が該読取判定手段で真と判定されたときは該紙幣を前記第１の収納手段まで搬送し、偽と判定されたときには該紙幣を前記第２の収納手段まで搬送する第５の搬送手段とを備えている。
【０００９】
第１及び第２の発明によれば、次のような作用が行われる。
入金された紙幣は、入出金手段から第１の搬送手段で読取判定手段に搬送されて最初の真偽判定が行われる。この真偽判定で真と判定された紙幣は保留手段に搬送され、偽と判定されたときには再判定のために第２の搬送手段によって表裏が反転され、または逆方向に搬送されて読取判定手段に戻される。
再判定によって真と判定された紙幣は、第３の搬送手段によって保留手段まで搬送され、偽と判定された紙幣は入出金手段に戻される。
更に、保留手段に収納された紙幣は、第４の搬送手段によって読取判定手段に逆方向に搬送されて読み取られる。ここで真と判定されたときに第１の収納手段に搬送され、もしも、偽と判定されたときには第２の収納手段に搬送される。
【００１０】
【発明の実施の形態】
第１の実施形態
図１は、本発明の第１の実施形態を示す紙幣入出金装置の構成図であり、図２中の要素と共通の要素には共通の符号が付されている。
この紙幣入出金装置は、図２と同様に、自動預金預け払い機等の紙幣の入出力に用いられるもので、全面の操作部に紙幣の出し入れを行うための入出金口１を有している。入出金口１の内側には、複数枚の紙幣を重ねて出し入れ可能な入出金部２が設けられている。入出金部２には、重ねられた紙幣を１枚ずつ分離して真偽判定のために送出すると共に、偽と判定された紙幣が戻される入出金手段（例えば、分離部）３が接続されている。分離部３の後部に紙幣を所定の経路に沿って搬送する第１の搬送手段（例えば、搬送部）４が接続されている。搬送部４は、搬送方向が自由に切り替え可能で、分岐によって経路の切り替えができるようになっている。搬送部４の複数の終端には、保留手段（例えば、保留部５）、第１の収納手段（例えば、収納カセット６）、及び第２の収納手段（例えば、リジェクトボックス７）が接続されている。
【００１１】
保留部５は、入金処理途中での取り消し操作に備えて、入金された正常な紙幣を、入金処理の終了まで一時的に収納保管するものである。収納カセット６は、入金処理の終了した正常な紙幣を収納するものである。また、リジェクトボックス７は、一旦正常な紙幣として入金処理を行った後で、再チェックによって異常が検出された紙幣を分離して収容するものである。
分離部３から保留部５に至る搬送部４の経路上に、紙幣を光学的に読み取ってその真偽を判定する読取判定手段（例えば、読取部８、及び判定部９）が設けられている。読取部８は、搬送されてくる紙幣に光を照射し、その紙幣から反射された光を検出して光の強度に基づいて紙幣表面のイメージを読み取るものである。判定部９は、読み取った紙幣のイメージに基づいてその紙幣の真偽を判定するものである。判定部９の出力側には、判定結果に基づいて紙幣の搬送方向や搬送経路を切り替える制御手段（例えば、搬送制御部）１０Ａが接続されている。
【００１２】
更に、この紙幣入出金装置には、読取部８の出口側から搬送されてきた紙幣をその表裏が反転するように搬送して分離部３へ戻すための第２の搬送手段（例えば、搬送部）１１が設けられている。搬送部１１は、２つの分岐１１ａ，１１ｂと、これらの分岐１１ａ，１１ｂの間を接続する搬送路１１ｃを有している。分岐１１ａは、読取部８の出口側から搬送された紙幣の搬送経路を保留部５または搬送路１１ｃのいずれかに切り替えるものである。分岐１１ｂは、搬送路１１ｃで搬送された紙幣を分離部３へ搬送するか、分離部３から搬送されてきた紙幣を読取部８の入口側へ搬送するかの切り替えを行うものである。搬送部１１の切り替え制御は、判定部９の判定結果に基づいて、搬送制御部１０Ａによって行われるようになっている。
【００１３】
次に動作を説明する。
紙幣入出金装置の入出金部２に複数枚の紙幣が重ねて入金されると、紙幣は分離部３によって分離されて１枚ずつ搬送部１１に送出される。搬送部１１に送出された紙幣は、分岐１１ｂによって読取部８の入口側への搬送経路が設定され、搬送部４に送出される。搬送部４によって読取部８に搬送された紙幣は、この読取部８でその片面（例えば、表面）のイメージが読み取られ、判定部９で真偽判定が行われる。判定結果は搬送制御部１０Ａに与えられ、この判定結果が真であれば、読み取られた紙幣は搬送部４から搬送部１１の分岐１１ａを介して保留部５へ搬送される。その後、入出金部２に残っている紙幣の読み取りが引き続き行われる。
【００１４】
もしも判定結果が偽であれば、読み取られた紙幣は保留部５へは搬送されず、搬送部１１の分岐１１ａ、搬送路１１ｃ、及び分岐１１ｂを通して分離部３へ戻される。これにより、紙幣は、最初の状態から表裏が反転すると共に、前後が逆転した状態で、分離部３に戻される。
分離部３に戻された紙幣は、搬送制御部１０Ａの制御により、再び搬送部１１に送出される。搬送部１１に送出された紙幣は、分岐１１ｂによって読取部８の入口側への搬送経路が設定され、搬送部４に送出される。搬送部４によって読取部８に搬送された紙幣は、今度はこの読取部８で他の片面（即ち、裏面）のイメージが読み取られ、判定部９で２度目の真偽判定が行われる。判定結果は搬送制御部１０Ａに与えられ、この判定結果が真であれば、読み取られた紙幣は搬送部４から搬送部１１の分岐１１ａを通して保留部５へ搬送される。その後、入出金部２に残っている紙幣の読み取りが引き続き行われる。
【００１５】
２度目の判定結果も偽であれば、読み取られた紙幣は保留部５へは搬送されず、搬送部１１の分岐１１ａ、搬送路１１ｃ、及び分岐１１ｂを通して分離部３へ搬送され、更に入出金部２へ戻される。これにより入金処理は中断され、返却された紙幣の確認を促すメッセージが図示しない表示部に表示される。
入金されたすべての紙幣の入金処理が終了すると、その入金された合計金額等が表示部に表示され、入金者による確認操作が行われる。これにより、保留部５に一時的に保管されていた紙幣は、搬送部１１の分岐１１ａを通して読取部８の出口側から逆方向に入力されて読み取られ、判定部９で真偽判定が行われる。ここで真と判定された紙幣は、搬送部４によって収納カセット６に搬送される。一方、偽と判定された紙幣は、搬送部４によってリジェクトボックス７に搬送される。
【００１６】
以上のように、この第１の実施形態の紙幣入出金装置は、判定結果が偽となった紙幣を、その表裏を反転させて分離部３へ戻すための搬送部１１を有しているので、人手を介さずにその紙幣を反転することができる。これにより、例えば片面に汚れ等が付着して正しく読み取れなかった紙幣でも、他の面が正常であれば２度目の読み取りで真と判定され、返却率を低くすることができるという利点がある。
【００１７】
第２の実施形態
図３は、本発明の第２の実施形態を示す紙幣入出金装置の構成図であり、図１中の要素と共通の要素には共通の符号が付されている。
この紙幣入出金装置では、図１の紙幣入出金装置における搬送部１１及び搬送制御部１０Ａに代えて、これとは異なる搬送経路を設定するための搬送部１２及び搬送制御部１０Ｂを設けている。
搬送部１２は、２つの分岐１２ａ，１２ｂと、これらの分岐１２ａ，１２ｂの間を接続する搬送路１２ｃを有している。分岐１２ａは、分離部３と読取部８の入口側とを接続する経路、または読取部８の入口側と搬送路１２ｃとを接続する経路のいずれかに切り替えるものである。また、分岐１２ｂは、搬送路１２ｃで搬送された紙幣を保留部５へ搬送するか、読取部８の出口側から搬送されてきた紙幣を保留部５へ搬送するかの切り替えを行うものである。搬送制御部１０Ｂは、判定部９の判定結果に基づいて、搬送部１２の切り替え制御、及び搬送部４の搬送方向の制御を行うものである。その他の構成は、図１と同様である。
【００１８】
次に動作を説明する。
紙幣入出金装置の入出金部２に入金された紙幣は、分離部３によって分離されて１枚ずつ搬送部１２に送出される。搬送部１２に送出された紙幣は、分岐１２ａによって読取部８の入口側への搬送経路が設定され、搬送部４に送出される。搬送部４によって読取部８に搬送された紙幣は、この読取部８でその片面（例えば、表面）のイメージが読み取られ、判定部９で真偽判定が行われる。判定結果は搬送制御部１０Ｂに与えられ、この判定結果が真であれば、読み取られた紙幣は読取部８の出口側から搬送部１２の分岐１２ｂを通して保留部５へ搬送される。その後、入出金部２に残っている紙幣の読み取りが引き続き行われる。
【００１９】
もしも判定結果が偽であれば、読み取られた紙幣は保留部５へは搬送されず、読取部８の出力側から再びこの読取部８に入力され、逆方向に搬送されてその表面のイメージが読み取られる。読み取られたイメージは、判定部９に与えられて２度目の真偽判定が行われる。判定結果は搬送制御部１０Ｂに与えられ、この判定結果が真であれば、読み取られた紙幣は搬送部４から搬送部１２の分岐１２ａ、搬送路１２ｃ、及び分岐１２ｂを通して保留部５へ搬送される。その後、入出金部２に残っている紙幣の読み取りが引き続き行われる。
【００２０】
２度目の判定結果も偽であれば、読み取られた紙幣は搬送部４から搬送部１２の分岐１２ａを通して分離部３へ搬送され、更に入出金部２へ戻される。これにより入金処理は中断され、返却された紙幣の確認を促すメッセージが表示部に表示される。
入金されたすべての紙幣の入金処理が終了すると、その入金された合計金額等が表示部に表示され、入金者による確認操作が行われる。これにより、保留部５に一時的に保管されていた紙幣は、搬送部１２の分岐１２ｂを通して読取部８の出口側から逆方向に入力されて読み取られ、判定部９で真偽判定が行われる。ここで真と判定された紙幣は、搬送部４によって収納カセット６に搬送される。一方、偽と判定された紙幣は、搬送部４によってリジェクトボックス７に搬送される。
【００２１】
以上のように、この第２の実施形態の紙幣入出金装置は、判定結果が偽となった紙幣を、読取部８の出力側から逆方向に入力して再度読み取って判定するように構成すると共に、その再判定の結果に基づいて紙幣を分離部３または保留部５へ搬送する搬送部１２を有している。これにより、人手を介さずに紙幣の再読み取りが可能になり、最初の読み取り搬送時にスキュー等で正しく読み取れなかった紙幣でも、逆方向に行われる２度目の読み取りで正しく読み取れれば真と判定され、返却率を低くすることができるという利点がある。
【００２２】
なお、本発明は、上記実施形態に限定されず、種々の変形が可能である。この変形例としては、例えば、次の（ａ）〜（ｃ）のようなものがある。
（ａ）  ２度目の読取判定で再び偽と判定された紙幣を入出金部２へ戻すようにしているが、再判定は１回に限定するものではなく、複数回行うようにしても良い。
（ｂ）  読取部８は、紙幣表面の反射光を読み取るものであるが、紙幣を透過した光を読み取るものでもよい。
（ｃ）  紙幣を重ねて入金できるように、入出金部２及び分離部３を備えているが、１枚ずつ入金する方式の紙幣入出金装置にも適用することができる。
【００２３】
【発明の効果】
以上詳細に説明したように、第１の発明によれば、読取判定手段で偽と判定された紙幣を、表裏が反転するように搬送して入出金手段に戻す第２の搬送手段を有している。これにより、人手を介さずに紙幣の表裏を反転して再度読み取ることが可能になり、紙幣の返却率の低くすることができるという効果がある。
第２の発明によれば、読取判定手段で偽と判定された紙幣を、逆方向にこの読取判定手段で読み取り、その再判定結果に基づいてその紙幣を収納または返却する第２の搬送手段を有している。これにより、紙幣の読み取り方向を変えて２度読み取ることが可能になり、第１の発明と同様の効果がある。
【図面の簡単な説明】
【図１】本発明の第１の実施形態を示す紙幣入出金装置の構成図である。
【図２】従来の紙幣入出金装置の構成図である。
【図３】本発明の第２の実施形態を示す紙幣入出金装置の構成図である。
【符号の説明】
２    入出金部
３    分離部
４，１１，１２    搬送部
５    保留部
８    読取部
９    判定部
１０Ａ，１０Ｂ    搬送制御部
【図１】
0003838821.tif 000002
【図２】
0003838821.tif 000003
【図３】
0003838821.tif 000004